(57)【要約】      （修正有）【課題】薬剤等の物質の管理上の事故・トラブルを防止し、また、薬剤等の物質における保管管理の記録や届出への対応を簡便かつ正確に行えるようにすること。【解決手段】本人認証をする機能と、本人認証の結果、本人と確認した場合に、物質の取り出し又は戻しを認める機能と、物質が取り出されると、取り出された物質を認識して、取り出された物質と、本人と確認した人を取り出した人として取り出した人と、取り出された日時とを記録する機能と、物質が戻されると、戻された物質を認識して、取り出された物質と、本人と確認した人を戻した人として戻した人と、戻された日時とを記録する機能とを有することを特徴とする物質管理システム。【選択図】図４
2006182471.tif 000002
【特許請求の範囲】
【請求項１】
本人認証をする機能と、
本人認証の結果、本人と確認した場合に、物質の取り出し又は戻しを認める機能と、
物質が取り出されると、取り出された物質を認識して、取り出された物質と、本人と確認した人を取り出した人として取り出した人と、取り出された日時とを記録する機能と、
物質が戻されると、戻された物質を認識して、取り出された物質と、本人と確認した人を戻した人として戻した人と、戻された日時とを記録する機能とを有することを特徴とする物質管理システム。
【請求項２】
取り出される前の物質の重量を計測して記録する機能と、
戻された物質の重量を計測して記録する機能と、
取り出される前の物質の重量と、戻された物質の重量との差から、物質の使用量を算出して記録する機能とを有することを特徴とする請求項１記載の物質管理システム。
【請求項３】
コンピュータが実行する方法であって、
本人認証をする工程と、
本人認証の結果、本人と確認した場合に、物質の取り出し又は戻しを認める工程と、
物質が取り出されると、取り出された物質を認識して、取り出された物質と、本人と確認した人を取り出した人として取り出した人と、取り出された日時とを記録する工程と、
物質が戻されると、戻された物質を認識して、取り出された物質と、本人と確認した人を戻した人として戻した人と、戻された日時とを記録する工程とを含むことを特徴とする物質管理方法。
【請求項４】
取り出される前の物質の重量を計測して記録する工程と、
戻された物質の重量を計測して記録する工程と、
取り出される前の物質の重量と、戻された物質の重量との差から、物質の使用量を算出して記録する工程とを含むことを特徴とする請求項３に記載の物質管理方法。
【請求項５】
コンピュータに、
本人認証をする工程と、
本人認証の結果、本人と確認した場合に、物質の取り出し又は戻しを認める工程と、
物質が取り出されると、取り出された物質を認識して、取り出された物質と、本人と確認した人を取り出した人として取り出した人と、取り出された日時とを記録する工程と、
物質が戻されると、戻された物質を認識して、取り出された物質と、本人と確認した人を戻した人として戻した人と、戻された日時とを記録する工程とを実行させることを特徴とする物質管理プログラム。
【請求項６】
取り出される前の物質の重量を計測して記録する工程と、
戻された物質の重量を計測して記録する工程と、
取り出される前の物質の重量と、戻された物質の重量との差から、物質の使用量を算出して記録する工程とを実行させることを特徴とする請求項５記載の物質管理プログラム。
【請求項７】
請求項５又は６に記載の物質管理プログラムを記録した記録媒体。
【請求項８】
物質を取り出す時に取り出す人を認証するためにＩＤを読み取る認証装置と、物質の重量を計測する重量計測器とのうち少なくともどちらか一方を備えたことを特徴とする物質収納体。
【発明の詳細な説明】
【技術分野】
【０００１】
本発明は、物質を管理する技術に関する。
【背景技術】
【０００２】
一般に、薬剤や放射能物質など、副作用や毒性の有る物質は、その管理に十分な注意を必要とされるが、昨今、紛失や未届け試料が見つかるなどの事故・トラブルが散見される。これらの物質は法制度で保管管理の記録やその記録の届出などが義務づけされているが、その保管管理の記録は非常に煩雑なものであった。
【発明の開示】
【発明が解決しようとする課題】
【０００３】
本発明は斯かる背景を鑑みてなされたもので、薬剤等の物質の管理上の事故・トラブルを防止し、また、薬剤等の物質における保管管理の記録や届出への対応を簡便かつ正確に行えるようにすることを課題とする。
【課題を解決するための手段】
【０００４】
本発明において上記課題を達成するために、まず請求項１の発明では、
本人認証をする機能と、
本人認証の結果、本人と確認した場合に、物質の取り出し又は戻しを認める機能と、
物質が取り出されると、取り出された物質を認識して、取り出された物質と、本人と確認した人を取り出した人として取り出した人と、取り出された日時とを記録する機能と、
物質が戻されると、戻された物質を認識して、取り出された物質と、本人と確認した人を戻した人として戻した人と、戻された日時とを記録する機能とを有することを特徴とする物質管理システムとしたものである。
【０００５】
また請求項２の発明では、
取り出される前の物質の重量を計測して記録する機能と、
戻された物質の重量を計測して記録する機能と、
取り出される前の物質の重量と、戻された物質の重量との差から、物質の使用量を算出して記録する機能とを有することを特徴とする請求項１記載の物質管理システムとしたものである。
【０００６】
また請求項３の発明では、
コンピュータが実行する方法であって、
本人認証をする工程と、
本人認証の結果、本人と確認した場合に、物質の取り出し又は戻しを認める工程と、
物質が取り出されると、取り出された物質を認識して、取り出された物質と、本人と確認した人を取り出した人として取り出した人と、取り出された日時とを記録する工程と、
物質が戻されると、戻された物質を認識して、取り出された物質と、本人と確認した人を戻した人として戻した人と、戻された日時とを記録する工程とを含むことを特徴とする物質管理方法としたものである。
【０００７】
また請求項４の発明では、
取り出される前の物質の重量を計測して記録する工程と、
戻された物質の重量を計測して記録する工程と、
取り出される前の物質の重量と、戻された物質の重量との差から、物質の使用量を算出
して記録する工程とを含むことを特徴とする請求項３に記載の物質管理方法としたものである。
【０００８】
また請求項５の発明では、
コンピュータに、
本人認証をする工程と、
本人認証の結果、本人と確認した場合に、物質の取り出し又は戻しを認める工程と、
物質が取り出されると、取り出された物質を認識して、取り出された物質と、本人と確認した人を取り出した人として取り出した人と、取り出された日時とを記録する工程と、
物質が戻されると、戻された物質を認識して、取り出された物質と、本人と確認した人を戻した人として戻した人と、戻された日時とを記録する工程とを実行させることを特徴とする物質管理プログラムとしたものである。
【０００９】
また請求項６の発明では、
取り出される前の物質の重量を計測して記録する工程と、
戻された物質の重量を計測して記録する工程と、
取り出される前の物質の重量と、戻された物質の重量との差から、物質の使用量を算出して記録する工程とを実行させることを特徴とする請求項５記載の物質管理プログラムとしたものである。
【００１０】
また請求項７の発明では、
請求項５又は６に記載の物質管理プログラムを記録した記録媒体としたものである。
【００１１】
また請求項８の発明では、物質を取り出す時に取り出す人を認証するためにＩＤを読み取る認証装置と、物質の重量を計測する重量計測器とのうち少なくともどちらか一方を備えたことを特徴とする物質収納体としたものである。
【発明の効果】
【００１２】
請求項１、請求項３、請求項５、及び請求項５を引用する請求項７の発明では、正当な利用者のみ、物質の取り出し又は戻しができ、しかも、物質を取り出す度に、取り出した物質と、取り出した人と、取り出した日時が自動的に記録され、さらに、物質を戻す度に、戻した物質と、戻した人と、戻した日時が自動的に記録されるという効果がある。
【００１３】
請求項２、請求項４、請求項６、及び請求項６を引用する請求項７の発明では、物質が戻される度に、物質の使用量も自動的に記録されるという効果がある。このため、自動記録された物質の使用量と、医師の処方箋のような物質の使用量の指示記録とを照合することにより、正当な目的にのみ、物質が使用されか否かを知ることができる。
【００１４】
請求項８の発明では、取り出す人を認証し、この認証を、正当な利用者のみに物質の取り出しを行わせ、取り出した人を自動的に記録するのに利用することと、或は、物質の重量を計測し、この計測を、物質の使用量を自動的に記録するのに利用することとのうち少なくとも何れか一方ができるという効果がある。
【００１５】
以上、本発明は、薬剤等の物質の管理上の事故・トラブルを防止し、また、薬剤等の物質における保管管理の記録や届出への対応を簡便かつ正確に行えるという効果がある。
【発明を実施するための最良の形態】
【００１６】
以下に、本発明の最良の一実施形態を、保存管理する物質として、薬剤を例にとって、説明する。
【００１７】
本実施形態に係るシステムは、図１に示すように、管理者本人カード１と、利用者本人カード２と、ロッカー３と、認証装置４と、コンピュータ９と、データベース１０とを備える。ここで、ロッカー３と、データベース１０とは、コンピュータ９に接続されている。また、認証装置４は、コンピュータ９に取り付けられている。ロッカー３は、複数あっても良い。
【００１８】
管理者本人カード１は、薬剤の管理者が、管理者本人であることを証明するために、所持するもので、管理者のＩＤが記録されている。
【００１９】
利用者本人カード２は、薬剤の利用者が、利用者本人であることを証明するために、所持するもので、利用者のＩＤが記録されている。
【００２０】
ロッカー３は、図２に示すように、その外部に、認識装置１３を備え、その内部の複数の瓶格納位置１２ごとに、それぞれ、ＩＣタグリーダライタ８と、重量計測器１１とを備え、それぞれの瓶格納位置１２に、それぞれの瓶５が格納される。
【００２１】
瓶５は、図３に示すように、その外部に、ＩＣタグ７を備え、その内部に、薬剤６が格納される。
【００２２】
重量計測器１１は、瓶格納位置１２に格納された、薬剤６入り瓶５の重量を計測するためのものである。
【００２３】
ＩＣタグリーダライタ８は、瓶格納位置１２に格納された、薬剤６入り瓶５のＩＣタグ７に、データを読書きするためのものである。
【００２４】
認識装置１３は、かざされた管理者本人カード１から、管理者のＩＤを読み取って、管理者本人を認証し、また、かざされた利用者本人カード２から、利用者のＩＤを読み取って、利用者本人を認証するためのものである。
【００２５】
認証装置４は、かざされた管理者本人カード１から、管理者のＩＤを読み取って、管理者本人を認証するためのものである。
【００２６】
コンピュータ９は、ロッカー３と、認証装置４と、データベース１０とを管理又は制御するためのものである。
【００２７】
データベース１０は、薬剤６入り瓶５の保存管理に係るデータを保存するためのものである。薬剤６入り瓶５の保存管理に係るデータは、例えば、薬剤６入り瓶５の新規登録に係るデータ、薬剤６入り瓶５の取り出しに係るデータ、薬剤６入り瓶５の戻しに係るデータ、薬剤６入り瓶５の登録抹消に係るデータなどを含む。例として挙げた各データの詳細は、後述する。
【００２８】
以下に、薬剤６入り瓶５の保存管理に関して、コンピュータ９が実行する処理の例として、管理者が薬剤６入り瓶５を新規登録する際の処理の例、利用者がロッカー３から薬剤６入り瓶５を取り出す際の処理の例、利用者が薬剤６入り瓶５をロッカー３へ戻す際の処理の例、管理者が薬剤６入り瓶５の登録抹消をする際の処理の例を、順に説明する。
【００２９】
まず、管理者が薬剤６入り瓶５を新規登録する際に、コンピュータ９が実行する処理の流れの例を、図４に示すフローチャートに従って、説明する。
【００３０】
Ｓ（ＳＴＥＰ）１；
管理者が、管理者本人カード１を、コンピュータ９の認証装置４と、ロッカー３の認識装置１３とにかざすと、コンピュータ９は、認証装置４と認識装置１３とで、それぞれ、管理者本人カード１から、管理者のＩＤを読み取る。
【００３１】
Ｓ（ＳＴＥＰ）２；
コンピュータ９は、認証装置４で読み取った管理者のＩＤに基づく本人認証と、認識装置１３で読み取った管理者のＩＤに基づく本人認証とを、それぞれ独立して行い、
両方の本人認証に成功したならば、管理者本人であることが確認されたとして、ＳＴＥＰ３に進み、
何れか一方或は両方の本人認証に失敗したならば、管理者本人でないとして、ロッカー３の扉を閉じたままにし、ＥＮＤに進む。
【００３２】
Ｓ（ＳＴＥＰ）３；
コンピュータ９は、管理者に、希望する作業の指定を促す。
【００３３】
指定可能な作業には、例えば、薬剤入り瓶の新規登録作業、薬剤入り瓶の登録抹消作業がある。
【００３４】
Ｓ（ＳＴＥＰ）４；
管理者が、薬剤入り瓶の新規登録作業の指定を入力すると、コンピュータ９は、ロッカー３の扉を開ける。
【００３５】
Ｓ（ＳＴＥＰ）５；
管理者が、薬剤６入り瓶５を、ロッカー３内の瓶格納位置１２に格納すると、コンピュータ９は、ＩＣタグリーダライタ又は重量計測器１１で、この格納を自動的に認識する。
【００３６】
Ｓ（ＳＴＥＰ）６；
コンピュータ９は、重量計測器１１で、薬剤６入り瓶５の重量を計測する。
【００３７】
Ｓ（ＳＴＥＰ）７；
コンピュータ９は、そのディスプレイに、薬剤６入り瓶５の新規登録に係るデータの入力又は確認を行う新規登録画面を開き、この新規登録画面で、薬剤６入り瓶５の新規登録に係るデータの入力又は確認を、管理者に促す。
【００３８】
薬剤６入り瓶５の新規登録に係るデータは、例えば、管理番号、薬剤名、薬剤６の重量、薬剤６入り瓶５の重量、薬剤の使用期限、新規登録日時、管理者のＩＤ、管理者名、管理責任部署、連絡先、格納ロッカー番号、格納位置番号などを含む。ここで、管理番号は、薬剤６入り瓶５を識別する番号であり、薬剤を新規登録する度に、コンピュータ９が自動的に付与しても良いし、瓶５のＩＣタグ７に予め管理番号が記録されているならば、このＩＣタグ７から、ＩＣタグリーダライタ８で読み出したものであっても良い。また、薬剤名は、薬剤６の名称である。また、薬剤６の重量は、瓶５に入っている薬剤６の重量である。薬剤６入り瓶５の重量は、重量計測器１１で計測されたものである。新規登録日時は、コンピュータ９が、その内蔵する時計で計測したものである。管理者のＩＤは、管理者本人カード１から読み出したものである。また、管理者名は、管理者の名前である。また、管理責任部署は、管理者が所属し、管理の責任を負う部署である。また、連絡先は、管理者又は管理責任部署への連絡先である。格納ロッカー番号は、ロッカー３を識別する番号であり、薬剤６入り瓶５の格納に際して、ＩＣタグリーダライタ８又は重量計測器１１からデータが送られてくることにより、コンピュータ９が判断できるものである。格納ロッカー番号は、格納位置１２を識別する番号であり、薬剤６入り瓶５の格納に際して、ＩＣタグリーダライタ８又は重量計測器１１からデータが送られてくることにより、コン
ピュータ９が判断できるものである。
【００３９】
薬剤６入り瓶５の新規登録に係るデータの内、管理番号、薬剤６入り瓶５の重量、新規登録日時、格納ロッカー番号、格納位置番号のように、コンピュータ９が判断可能なものは、コンピュータ９の方で、予め新規登録画面に入力しておき、これを管理者に確認させる。
【００４０】
Ｓ（ＳＴＥＰ）８；
管理者が、新規登録画面で、薬剤６入り瓶５の新規登録に係るデータの入力又は確認を行うと、コンピュータ９は、薬剤６入り瓶５の新規登録登録に係るデータを、データベース１０に登録する。
【００４１】
Ｓ（ＳＴＥＰ）９；
コンピュータ９は、薬剤６入り瓶５の新規登録に係るデータを、ＩＣタグリーダライタ８で、薬剤６入り瓶５のＩＣタグ７に記録する。
【００４２】
Ｓ（ＳＴＥＰ）１０；
コンピュータ９は、ロッカー３の扉を閉じる。
【００４３】
次に、利用者がロッカー３から薬剤６入り瓶５を取り出す際に、コンピュータ９が実行する処理の流れの例を、図５に示すフローチャートに従って、説明する。
【００４４】
Ｓ（ＳＴＥＰ）１；
利用者が、利用者本人カード２を、ロッカー３の認識装置１３にかざすと、コンピュータ９は、認識装置１３で、利用者本人カードから、利用者のＩＤを読み取る。
【００４５】
Ｓ（ＳＴＥＰ）２；
コンピュータ９は、利用者のＩＤに基づいて、本人認証を行い、
本人認証に成功したならば、利用者本人であることが確認されたとして、ＳＴＥＰ３に進み、
本人認証に失敗したならば、利用者本人でないとして、ロッカー３の扉を閉じたままにし、ＥＮＤに進む。
【００４６】
Ｓ（ＳＴＥＰ）３；
コンピュータ９は、ロッカー３の扉を開ける。
【００４７】
Ｓ（ＳＴＥＰ）４；
利用者が、薬剤６入り瓶５を、ロッカー３内の瓶格納位置１２から取り出すと、コンピュータ９は、ＩＣタグリーダライタ８又は重量計測器１１で、この取り出しを自動的に認識する。
【００４８】
Ｓ（ＳＴＥＰ）５；
コンピュータ９は、薬剤６入り瓶５の取り出しに係るデータを、データベースに登録する。
【００４９】
薬剤６入り瓶５の取り出しに係るデータは、例えば、利用者のＩＤ、薬剤６入り瓶５を識別する管理番号、取り出した日時などを含む。ここで、利用者のＩＤは、利用者本人カード２から読み出したものである。また、管理番号は、例えば、コンピュータ９が、薬剤６入り瓶５の取り出しの瞬間に、薬剤６入り瓶５のＩＣタグ７から読み出した中から得たものでも良い。或は、管理番号は、例えば、コンピュータ９が、ＩＣタグリーダライタ８
又は重量計測器１１が設置されている瓶格納位置１２を識別する格納位置番号で、データベース１０から、薬剤６入り瓶５の新規登録に係るデータを読み出して、この読み出したデータの中から得たものでも良い。また、取り出した日時は、コンピュータ９が、その内蔵する時計で計測したものである。
【００５０】
Ｓ（ＳＴＥＰ）６；
コンピュータ９は、ロッカー３の扉を閉める。
【００５１】
次に、利用者が薬剤６入り瓶５をロッカー３へ戻す際に、コンピュータ９が実行する処理の流れの例を、図６に示すフローチャートに従って、説明する。
【００５２】
Ｓ（ＳＴＥＰ）１；
利用者が、利用者本人カード２を、ロッカー３の認識装置１３にかざすと、コンピュータ９は、認識装置１３で、利用者本人カードから、利用者のＩＤを読み取る。
【００５３】
Ｓ（ＳＴＥＰ）２；
コンピュータ９は、利用者のＩＤに基づいて、本人認証を行い、
本人認証に成功したならば、利用者本人であることが確認されたとして、ＳＴＥＰ３に進み、
本人認証に失敗したならば、利用者本人でないとして、ロッカー３の扉を閉じたままにし、ＥＮＤに進む。
【００５４】
Ｓ（ＳＴＥＰ）３；
コンピュータ９は、ロッカー３の扉を開ける。
【００５５】
Ｓ（ＳＴＥＰ）４；
利用者が、薬剤６入り瓶５を、ロッカー３内の瓶格納位置１２に戻すと、コンピュータ９は、ＩＣタグリーダライタ８又は重量計測器１１で、この戻しを自動的に認識する。
【００５６】
Ｓ（ＳＴＥＰ）５；
コンピュータ９は、ＩＣタグリーダライタ８で、薬剤６入り瓶５のＩＣタグ７から、ＩＣタグ７に記録されているデータを読み出すと同時に、重量計測器１１で、薬剤６入り瓶５の重量を計測する。
【００５７】
Ｓ（ＳＴＥＰ）６；
コンピュータ９は、薬剤６入り瓶５の戻しに係るデータを、データベース１０に登録する。
【００５８】
薬剤６入り瓶５の戻しに係るデータは、例えば、利用者のＩＤと、薬剤６入り瓶５を識別する管理番号、戻した日時、薬剤６入り瓶５の重量、薬剤６の使用量、薬剤６の重量などを含む。ここで、利用者のＩＤは、利用者本人カード２から読み出したものである。また、管理番号は、戻した瓶５のＩＣタグ７から読み出したデータに含まれるものである。また、戻した日時は、コンピュータ９が、その内蔵する時計で計測したものである。また、薬剤６入り瓶５の重量は、重量計測器１１で計測されたものである。また、薬剤６の使用量は、コンピュータ９が、データベース１０から、薬剤６入り瓶５の直近の重量を読み出し、読み出した重量から、薬剤６入り瓶５の現在の重量を引いて得たものである。また、瓶５に入っている薬剤６の重量は、コンピュータ９から、薬剤６の直近の重量を読み出し、読み出した重量から、この薬剤６の使用量を引いて得たものである。
【００５９】
Ｓ（ＳＴＥＰ）７；
コンピュータ９は、薬剤６入り瓶５を取り出した日時と、薬剤６入り瓶５を取り出した利用者のＩＤと、戻したときの薬剤６の重量とを、薬剤６入り瓶５のＩＣタグ７に記録する。
【００６０】
ここで、薬剤６入り瓶５を取り出した日時と、薬剤６入り瓶５を取り出した利用者のＩＤとは、コンピュータ９が、データベース１０から読み出したものである。
【００６１】
Ｓ（ＳＴＥＰ）８；
コンピュータ９は、ロッカー３の扉を閉める。
【００６２】
最後に、管理者が薬剤６入り瓶５の登録抹消をする際に、コンピュータ９が実行する処理の流れの例を、図７のフローチャートに従って、説明する。
【００６３】
Ｓ（ＳＴＥＰ）１；
管理者が、管理者本人カード１を、コンピュータ９の認証装置４と、ロッカー３の認識装置１３とにかざすと、コンピュータ９は、認証装置４と認識装置１３とで、それぞれ、管理者本人カードから、管理者のＩＤを読み取る。
【００６４】
Ｓ（ＳＴＥＰ）２；
コンピュータ９は、認証装置４で読み取った管理者のＩＤに基づく本人認証と、認識装置１３で読み取った管理者のＩＤに基づく本人認証とを、それぞれ独立して行い、
両方の本人認証に成功したならば、管理者本人であることが確認されたとして、ＳＴＥＰ３に進み、
何れか一方或は両方の本人認証に失敗したならば、管理者本人でないとして、ロッカー３の扉を閉じたままにし、ＥＮＤに進む。
【００６５】
Ｓ（ＳＴＥＰ）３；
コンピュータ９は、管理者に、希望する作業の指定を促す。
【００６６】
指定可能な作業には、例えば、薬剤入り瓶の新規登録作業、薬剤入り瓶の登録抹消作業がある。
【００６７】
Ｓ（ＳＴＥＰ）４；
管理者が、登録抹消作業を指定すると、コンピュータ９は、コンピュータ９は、新規登録がなされ、しかも、未だ登録抹消がなされてない薬剤入り瓶として、データベース１０に、新規登録に係るデータが登録されており、しかも、登録抹消に係るデータが登録されていない薬剤入り瓶の一覧の中から、登録抹消する薬剤入り瓶を指定する登録抹消画面を、そのディスプレイに開き、管理者に、この一覧の中から、登録抹消する薬剤入り瓶の指定を促す。
【００６８】
Ｓ（ＳＴＥＰ）５；
管理者が、薬剤６入り瓶５の登録抹消を指定すると、コンピュータ９は、薬剤６入り瓶５の登録抹消に係るデータを、データベース１０に登録する。
【００６９】
薬剤６入り瓶５の登録抹消に係るデータは、例えば、薬剤６入り瓶５を識別する管理番号と、薬剤６入り瓶５を登録抹消したことを表す情報とを含む。薬剤６入り瓶５を識別する管理番号は、薬剤６入り瓶５の新規登録に係るデータの中に含まれているものである。
【００７０】
Ｓ（ＳＴＥＰ）６；
コンピュータ９は、ＩＣタグリーダライタ８で、薬剤６入り瓶５のＩＣタグ７に記録さ
れているデータを全て抹消し、薬剤６入り瓶５のＩＣタグ７に、薬剤６入り瓶５の登録抹消に係るデータを記録する。
【００７１】
Ｓ（ＳＴＥＰ）７；
コンピュータ９は、ロッカー３の扉を開ける。
【００７２】
Ｓ（ＳＴＥＰ）８；
管理者が、ロッカー３内の瓶格納位置１２から、薬剤６入り瓶５を取り出すと、コンピュータ９は、ＩＣタグリーダライタ８又は重量計測器１１で、この取り出しを自動的に認識する。
【００７３】
Ｓ（ＳＴＥＰ）９；
コンピュータ９は、ロッカー３の扉を閉じる。
【００７４】
尚、管理者は、薬剤６入り瓶５を、規定に従って、廃棄する。
【００７５】
上記の各処理の例では、コンピュータ９が、ロッカー３の扉の開閉を行っているけれども、代わりに、ロッカー３の扉の開閉は、管理者又は利用者に行わせ、コンピュータ９は、ロッカー３の扉の鍵の解錠と施錠とを行っても良い。
【００７６】
尚、本発明においては上述の最良の一実施形態以外にも以下のような種々の変更が可能である。
【００７７】
まず、本実施形態においては、重量計測はロッカー３内に備えた重量計測器１１において計測を行なったが、計測する物質によっては極少量で用が足りる物質もあり、その場合は少量でも計測可能な別の計測器で計測し、その結果をコンピュータ９から手入力したり、また別にオンラインまたは無線でコンピュータ９に接続して計測結果を取り込み記録してもよい。
【００７８】
また、本実施形態においては、薬剤６入り瓶５に貼り付けたＩＣタグ７のＩＣタグリーダライタ８をロッカー３内の瓶収納位置１２に設けたが、ロッカー３の瓶取り出し口の上側または下側或はロッカー３内の側壁、背壁に設け、取り出す時または収納する時に読み取るようにしてもよい。
【００７９】
また、本実施形態においては、計測した物質の重量を、その物質を収納している瓶５に貼り付けたＩＣタグ７に記録するようにしたが、コンピュータ９またはデータベース１０に記録するようにしても構わない。
【００８０】
さらに本実施形態においては、重量計測機能と認証機能を備えた物質収納体であるロッカーを開示したが、保管する物質の管理レベルによっては必ずしも両機能を備えている必要はなく、重量計測機能のみ、認証機能のみのロッカーであってもよい。またこれらのロッカーを組み合わせてもよく、さらにこれらに両機能とも備えていないロッカーを組み合わせて用いてもよい。
【００８１】
認証方法として本実施形態においてはカードを用いた場合のみ示したが、生体認証等であっても良い。そうすることにより一層認証精度を高めることが可能となる。
【００８２】
薬剤が錠剤である場合、薬剤がフィルムパウチで包装され、さらにこれが紙箱に収納されている事がある。この様な時には、フィルムパウチや紙箱にＩＣタグを貼り、保管管理を行うようにしても良い。
【図面の簡単な説明】
【００８３】
【図１】本実施形態に係るシステムの構成例を示す図。
【図２】ロッカーの構成例を示す図。
【図３】瓶の構成例を示す図。
【図４】管理者が薬剤を新規登録する際に、コンピュータ９が実行する処理の流れの例を示すフローチャート。
【図５】利用者がロッカーから薬剤入り瓶を取り出す際に、コンピュータ９が実行する処理の流れの例を示すフローチャート。
【図６】利用者が薬剤入り瓶をロッカーへ戻す際に、コンピュータ９が実行する処理の流れの例を示すフローチャート。
【図７】管理者が薬剤入り瓶の登録抹消をする際に、コンピュータ９が実行する処理の流れの例を示すフローチャート。
【符号の説明】
【００８４】
１…管理者本人カード
２…利用者本人カード
３…ロッカー
４…認証装置
５…瓶
６…薬剤
７…ＩＣタグ
８…ＩＣタグリーダライタ
９…コンピュータ
１０…データベース
１１…重量計測器
１２…瓶格納位置
１３…認識装置
【図１】
2006182471.tif 000003
【図２】
2006182471.tif 000004
【図３】
2006182471.tif 000005
【図４】
2006182471.tif 000006
【図５】
2006182471.tif 000007
【図６】
2006182471.tif 000008
【図７】
2006182471.tif 000009